【手続補正書】
【提出日】平成16年8月4日(2004.8.4)
【手続補正１】
【補正対象書類名】明細書
【補正対象項目名】特許請求の範囲
【補正方法】変更
【補正の内容】
【特許請求の範囲】
【請求項１】
（Ａ）ポリフェニレンエーテル系樹脂１００重量部に対して（Ｂ）耐光剤が配合されてなる樹脂組成物において、ポリフェニレンエーテル系樹脂が（Ａ−１）ポリフェニレンエーテル１５〜３５重量部と（Ａ−２）芳香族ビニル重合体６５〜８５重量部を含有するものであることを特徴とするポリフェニレンエーテル系樹脂組成物。
【請求項２】
（Ｂ）耐光剤として、ベンゾトリアゾール系紫外線吸収剤またはベンゾフェノン系紫外線吸収剤を含有してなる請求項１記載のポリフェニレンエーテル系樹脂組成物。
【請求項３】
（Ｃ）成分としてエポキシ化合物がポリフェニレンエーテル系樹脂１００重量部に対して０．０１〜５重量部配合されてなる請求項１または２記載のポリフェニレンエーテル系樹脂組成物。
【請求項４】
（Ｃ）エポキシ化合物が、不飽和結合を有しないエポキシ化合物である請求項３記載のポリフェニレンエーテル系樹脂組成物。
【請求項５】
（Ｃ）エポキシ化合物が、一般式（ｃ−１）もしくは一般式（ｃ−２）で表される請求項３または４記載のポリフェニレンエーテル系樹脂組成物。
【化１】
1999071488.tif 000001
【化２】
1999071488.tif 000002
（ここで、ｎは１〜１０の整数、Ｘはアルキル基、アルキルエーテル基、ポリ（アルキルエーテル）基の残基、又は一般式（ｃ−３）もしくは一般式（ｃ−４）で表される基から選ばれる基を表す。Ｙは、ハロゲン、及びアルキル基、ハロゲン化アルキル基、アルキルエーテル基、ポリ（アルキルエーテル）基の残基から選ばれる基を表す。）
【化３】
1999071488.tif 000003
【化４】
1999071488.tif 000004
（ここで、Ｒ１、Ｒ２は独立に水素又はメチル基を示す。）
【請求項６】
（Ｃ）エポキシ化合物が、水添ビスフェノールＡジグリシジルエーテル、アルコールグリシジルエーテル、トリメチロールプロパン−エピクロルヒドリン縮合物、ネオペンチルグリコールジグリシジルエーテル、ポリエチレングリコールジグリシジルエーテル、ポリプロピレングリコールジグリシジルエーテル、１，４−ブタンジオールジグリシジルエーテル、水添フタル酸ジグリシジルエーテルから選ばれる１種以上である請求項３記載のポリフェニレンエーテル系樹脂組成物。
【請求項７】
（Ｄ）成分としてリン酸エステル化合物をポリフェニレンエーテル系樹脂１００重量部に対して５〜３０重量部配合してなる請求項１〜６のいずれか１項に記載のポリフェニレンエーテル系樹脂組成物。
【請求項８】
（Ｄ）リン酸エステル化合物が、一般式（ｄ−１）で表される請求項７記載のポリフェニレンエーテル系樹脂組成物。
【化５】
1999071488.tif 000005
（ここで、Ｑ１、Ｑ２、Ｑ３、Ｑ４は、独立に炭素数１から６のアルキル基を表す。ｍ１、ｍ２、ｍ３、ｍ４は、独立に０から３の整数を表す。ｎ２は０から３の整数を示す。Ｚは芳香環を含む基を表す。）
【請求項９】
（Ｄ）リン酸エステル中のｎ２が１から３の整数でかつ、Ｚが、一般式（ｄ−２）もしくは一般式（ｄ−３）で表される請求項８記載のポリフェニレンエーテル系樹脂組成物。
【化６】
1999071488.tif 000006
（ここで、Ｒ３はメチル基を、ｎ３は０から２の整数を表す。）
【化７】
1999071488.tif 000007
（ここで、Ｒ４、Ｒ５はメチル基を、Ｒ６、Ｒ７は独立にメチル基または水素を表す。ｎ４、ｎ５は独立に０から２の整数を表す。）
【請求項１０】
（Ｄ）リン酸エステル中のＺが一般式（ｄ−４）で表される請求項８記載のポリフェニレンエーテル系樹脂組成物。
【化８】
1999071488.tif 000008
（ここで、Ｒ８、Ｒ９はメチル基を表す。）
【請求項１１】
（Ｂ）耐光剤が、ベンゾトリアゾール系紫外線吸収剤と立体障害アミン系光安定剤、またはベンゾフェノン系紫外線吸収剤と立体障害アミン系光安定剤との混合物である請求項１〜１０記載のポリフェニレンエーテル系樹脂組成物。
【請求項１２】
請求項１〜１１のいずれか１項に記載のポリフェニレンエーテル系樹脂組成物を材料として成形された成形品であって、工業用品、電気・電子部品、事務機器、各種ハウジング、自動車部品、精密部品のいずれかに用いられることを特徴とする成形部品。
【請求項１３】
成形部品が事務機器ハウジングであることを特徴とする請求項１２記載のポリフェニレンエーテル系樹脂組成物。
【手続補正２】
【補正対象書類名】明細書
【補正対象項目名】０００６
【補正方法】変更
【補正の内容】
【０００６】
【課題を解決するための手段】
本発明者らは、上記課題に対して検討を重ねた結果、ポリフェニレンエーテルをある特定の量に限定することにより、耐熱性を低下させることなく、驚くべき耐光変色性が発現されることを見いだし、本発明に到達した。
すなわち、本発明は、
［１］  （Ａ）ポリフェニレンエーテル系樹脂１００重量部に対して（Ｂ）耐光剤が配合されてなる樹脂組成物において、ポリフェニレンエーテル系樹脂が（Ａ−１）ポリフェニレンエーテル１５〜３５重量部と（Ａ−２）芳香族ビニル重合体６５〜８５重量部を含有するものであることを特徴とするポリフェニレンエーテル系樹脂組成物、
［２］  （Ｂ）耐光剤として、ベンゾトリアゾール系紫外線吸収剤またはベンゾフェノン系紫外線吸収剤を含有してなる［１］記載のポリフェニレンエーテル系樹脂組成物、
［３］  （Ｃ）成分としてエポキシ化合物がポリフェニレンエーテル系樹脂１００重量部に対して０．０１〜５重量部配合されてなる［１］または［２］記載のポリフェニレンエーテル系樹脂組成物、
［４］  （Ｃ）エポキシ化合物が、不飽和結合を有しないエポキシ化合物である［３］記載のポリフェニレンエーテル系樹脂組成物、
［５］  （Ｃ）エポキシ化合物が、一般式（ｃ−１）もしくは一般式（ｃ−２）で表される［３］または［４］記載のポリフェニレンエーテル系樹脂組成物、
［６］  （Ｃ）エポキシ化合物が、水添ビスフェノールＡジグリシジルエーテル、アルコールグリシジルエーテル、トリメチロールプロパン−エピクロルヒドリン縮合物、ネオペンチルグリコールジグリシジルエーテル、ポリエチレングリコールジグリシジルエーテル、ポリプロピレングリコールジグリシジルエーテル、１，４−ブタンジオールジグリシジルエーテル、水添フタル酸ジグリシジルエーテルから選ばれる１種以上である［３］記載のポリフェニレンエーテル系樹脂組成物、
［７］  （Ｄ）成分としてリン酸エステル化合物をポリフェニレンエーテル系樹脂１００重量部に対して５〜３０重量部配合してなる［１］〜［６］のいずれかに記載のポリフェニレンエーテル系樹脂組成物、
［８］  （Ｄ）リン酸エステル化合物が、一般式（ｄ−１）で表される［７］記載のポリフェニレンエーテル系樹脂組成物、
［９］  （Ｄ）リン酸エステル中のｎ２が１から３の整数でかつ、Ｚが、一般式（ｄ−２）もしくは一般式（ｄ−３）で表される［８］記載のポリフェニレンエーテル系樹脂組成物、
［１０］  （Ｄ）リン酸エステル中のＺが一般式（ｄ−４）で表される［８］記載のポリフェニレンエーテル系樹脂組成物、
［１１］  （Ｂ）耐光剤が、ベンゾトリアゾール系紫外線吸収剤と立体障害アミン系光安定剤、またはベンゾフェノン系紫外線吸収剤と立体障害アミン系光安定剤との混合物である［１］〜［１０］記載のポリフェニレンエーテル系樹脂組成物、
［１２］  ［１］〜［１１］のいずれかに記載のポリフェニレンエーテル系樹脂組成物を材料として成形された成形品であって、工業用品、電気・電子部品、事務機器、各種ハウジング、自動車部品、精密部品のいずれかに用いられることを特徴とする成形部品、
［１３］  成形部品が事務機器ハウジングであることを特徴とする［１２］記載のポリフェニレンエーテル系樹脂組成物、
である。
【手続補正３】
【補正対象書類名】明細書
【補正対象項目名】００５３
【補正方法】変更
【補正の内容】
【００５３】
【実施例７】
比較のためのエポキシ化合物として水素添加されていない通常のビスフェノールＡジグリシジル（旭電化工業（株）製、商品名、ＥＰ−４１００、以下、Ｅ−３と略記）を用いた以外はすべて他の実施例と同様にして、Ｉｚｏｄ衝撃強さ試験、荷重たわみ温度、耐光変色性を測定した。組成及び結果は表１に併記した。
【手続補正４】
【補正対象書類名】明細書
【補正対象項目名】００５５
【補正方法】変更
【補正の内容】
【００５５】
【表１】
1999071488.tif 000009